(57)【要約】【目的】ディスク記録再生装置の一層の小型化を図ることができる磁気ヘッド昇降制御装置を提供すること。【構成】ディスク状記録媒体に近接した下降位置と前記ディスク状記録媒体から離間した上昇位置との間に亘って昇降される磁気ヘッドと、前記磁気ヘッドの昇降を制御する昇降制御レバーと、前記昇降制御レバーの移動位置を検出する検出手段と、前記ディスク状記録媒体を収納したカートリッジの装置外への取出し操作を行う取出し操作部と、前記昇降制御レバーと係合し前記取出し操作部の動作の可否を切換える取出し操作切換え部材とを含んで磁気ヘッド昇降制御装置を構成し、前記昇降制御レバーの移動により前記取出し操作切換え部材を駆動し、前記取出し操作部を制御する。【選択図】　　　図４
2004103194.tif 000002
【特許請求の範囲】
【請求項１】
ディスク状記録媒体に近接した下降位置と前記ディスク状記録媒体から離間した上昇位置との間に亘って昇降される磁気ヘッドと、前記磁気ヘッドの昇降を制御する昇降制御レバーと、前記昇降制御レバーの移動位置を検出する検出手段と、前記ディスク状記録媒体を収納したカートリッジの装置外への取出し操作を行う取出し操作部と、前記昇降制御レバーと係合し前記取出し操作部の動作の可否を切換える取出し操作切換え部材とを備え、前記昇降制御レバーの移動により前記取出し操作切換え部材を駆動し、前記取出し操作部を制御することを特徴とする磁気ヘッド昇降制御装置。
【請求項２】
前記取出し操作切換え部材は、前記昇降制御レバーの移動範囲において被駆動範囲と停止範囲を備えることを特徴とする請求項１記載の磁気ヘッド昇降制御装置。
【請求項３】
前記昇降制御レバーの停止位置が磁気ヘッドの上昇位置と下降位置とその他に少なくとも１つの停止位置を備えたことを特徴とする請求項１又は２記載の磁気ヘッド昇降制御装置。
【請求項４】
前記少なくとも１つの停止位置が磁気ヘッドの上昇位置と下降位置の中間にあることを特徴とする請求項３記載の磁気ヘッド昇降制御装置。
【請求項５】
前記少なくとも１つの停止位置が磁気ヘッドの上昇位置と下降位置の範囲外にあることを特徴とする請求項３記載の磁気ヘッド昇降制御装置。
【発明の詳細な説明】
【０００１】
【発明の属する技術分野】
本発明は、光磁気ディスク等の情報信号の記録を可能とするディスク状記録媒体に情報信号の記録及び／又は再生を行うために用いられる磁気ヘッドをディスク状記録媒体に近接した下降位置とディスク状記録媒体から離間した上昇位置との間に亘って昇降させる磁気ヘッドの昇降制御装置に関する。
【０００２】
【従来の技術】
従来、光ピックアップ装置から出射される光ビームと磁気ヘッドから印加される外部磁界の作用によって情報信号の記録を可能とした光磁気ディスクを記録媒体に用いるディスク記録再生装置が用いられている。
【０００３】
この種のディスク記録再生装置は、光磁気ディスクに対し情報信号を記録する場合には、磁気ヘッドを光磁気ディスクの信号記録領域が設けられた主面に摺接するように近接させる。又、光磁気ディスクに記録された情報信号の再生を行う場合には、磁気ヘッドからの外部磁界の印加を不要とするので、磁気ヘッドは光磁気ディスクの主面から離間させた位置に移動される。
【０００４】
このように磁気ヘッドを用いる必要がないときに磁気ヘッドを光磁気ディスクから離間させることにより、磁気ヘッドと光磁気ディスクとが相対摺接することにより磁気ヘッド及び光磁気ディスクが磨耗してしまうことを防止し、磁気ヘッド及び光磁気ディスクの耐久性の向上が図られる。
【０００５】
情報信号の記録を可能とする光磁気ディスクを記録媒体に用いるディスク記録再生装置には、ディスク回転駆動機構や記録再生手段を構成する光ピックアップ装置を配置した装置本体に回動可能に支持されたホルダを用いてディスクカートリッジを装置本体側の記録再生位置にローディングするようにしたものが用いられている。このディスク記録再生装置は、ホルダ上に延在されたヘッド支持アームの先端に磁気ヘッドを取り付け、ホルダの回動動作に連動してヘッド支持アームを回動操作するように構成されている。
【０００６】
このように装置本体に回動可能に支持されたホルダ上に磁気ヘッドを支持したヘッド支持アームを延在させたディスク記録再生装置にあっては、情報信号の記録を行う場合には、ホルダに設けた磁気ヘッド挿入用開口部を介して磁気ヘッドをホルダ内に進入させた記録再生位置にローディングされた光磁気ディスクに摺接させるようにしている。このディスク記録再生装置にあっては、ホルダ内に磁気ヘッドが侵入されたままの状態でディスクカートリッジの挿脱が行われると、磁気ヘッドにディスクカートリッジが衝突し、磁気ヘッドを損傷させてしまう。
【０００７】
そこで、この種のディスク記録再生装置は、ディスクカートリッジをホルダに挿脱する際、ディスクカートリッジが磁気ヘッドに衝突することを確実に防止するため、磁気ヘッドを光磁気ディスクに記録された情報信号を行う再生位置より更にホルダの外方に逃げた上昇位置まで移動される。
【０００８】
ところで、情報信号の記録を可能とする光磁気ディスクを記録媒体に用いるディスクの記録再生装置は、光磁気ディスクに情報信号を記録する記録モード、記録再生位置にローディングされた光磁気ディスクをイジェクト可能で、且つ、光磁気ディスクに記録された情報信号の再生を行う再生モードに応じて磁気ヘッドの位置を昇降制御するようにしている。この磁気ヘッドの昇降制御は、磁気ヘッドの昇降操作を行う昇降操作部材を昇降操作する昇降制御レバーを駆動モータにより移動操作することによって行うように構成されている。
【０００９】
尚、昇降操作部材と昇降制御レバーとは連結部材により連結されている。
【００１０】
磁気ヘッドの昇降位置を各操作モードに応じて制御するため、昇降操作レバー或は連結部材の位置を検出して磁気ヘッドの位置を検出し、その検出された磁気ヘッドの位置に応じて駆動モータを駆動制御するようにしている。
【００１１】
【発明が解決しようとする課題】
従来のディスク記録再生装置は、磁気ヘッドの位置により、記録モード位置、再生モード位置及びイジェクト位置の２つの位置を備え、磁気ヘッドの昇降は、多くの場合連結部材に設けられたカムにより磁気ヘッド昇降操作部材を駆動して磁気ヘッドを上昇させているが、通常、付勢部材等で再生モードの下降位置に付勢されている磁気ヘッドを付勢力に抗して上昇させるためには、ディスク記録再生装置を大型化しないためにも限られた昇降操作レバーの移動量で昇降操作するために、カムの角度が急になり、駆動力の大きな駆動源（モータ）又は駆動力を得るための減速機構が必要となり、一層の小型化を図ることが困難になってしまう。
【００１２】
そこで、本発明の目的は、ディスク記録再生装置の一層の小型化を図ることができる磁気ヘッド昇降制御装置を提供することにある。
【００１３】
本発明の他の目的は、ディスク記録再生装置を大型化することなく磁気ヘッドの位置を複数設けたり、昇降操作レバーの位置により操作モードを増やす等の高機能化を図ることができる磁気ヘッド昇降制御装置を提供することにある。
【００１４】
【課題を解決するための手段】
上記目的を達成するため、本発明は、ディスク状記録媒体に近接した下降位置と前記ディスク状記録媒体から離間した上昇位置との間に亘って昇降される磁気ヘッドと、前記磁気ヘッドの昇降を制御する昇降制御レバーと、前記昇降制御レバーの移動位置を検出する検出手段と、前記ディスク状記録媒体を収納したカートリッジの装置外への取出し操作を行う取出し操作部と、前記昇降制御レバーと係合し前記取出し操作部の動作の可否を切換える取出し操作切換え部材とを備え、前記昇降制御レバーの移動により前記取出し操作切換え部材を駆動し、前記取出し操作部を制御することを特徴とする。
【００１５】
【発明の実施の形態】
＜実施の形態１＞
以下、本発明に係るディスク記録再生装置及び磁気ヘッド昇降制御装置を図面を参照して説明する。
【００１６】
先ず、本実施の形態に係るディスク記録再生装置に使用されるディスクカートリッジを説明すると、このディスクカートリッジ１は、図１及び図２に示すように、上下一対のハーフ２，３を突き合わせ結合して形成したカートリッジ本体４内に情報信号の記録を可能とする光磁気ディスク５を回転自在に収納している。カートリッジ本体４の下面側の中央部には、図２に示すように、このカートリッジ本体４に収納した光磁気ディスク５に中心部に取り付けたディスクハブ６を外方に臨ませる中央開口部７が設けられている。
【００１７】
又、カートリッジ本体４に収納した光磁気ディスク５の主面に形成された信号記録領域の一部を内外周に亘って外方に臨ませる記録用の開口部８及び記録再生用の開口部９が設けられている。これらの開口部８，９はカートリッジ本体４の左右方向の中央部に位置してカートリッジ本体４の中央部近傍から一側面側に亘って形成されている。
【００１８】
又、カートリッジ本体４には、記録用の開口部８及び記録再生用開口部９を開閉するシャッタ部材１０が移動可能に取り付けられている。シャッタ部材１０は、薄い金属板を断面コの字状に折り曲げて形成され、カートリッジ本体４の一側面側から嵌合するように取り付けられ、カートリッジ本体４の一側面に沿って移動操作される。このシャッタ部材１０は、各開口部８，９を閉塞した位置にあるとき、カートリッジ本体４内に設けたシャッタロック部材１１によりロックされて移動が規制された状態に置かれる。そして、シャッタ部材１０は、ディスクカートリッジ１がホルダ装置に挿入されるとき、カートリッジ本体４の一側面に形成されたシャッタ開放部材進入溝１２に進入するホルダ装置側のシャッタ開放部材によりシャッタロック部材１１によるロックが解除され、開口部８，９を開放する方向に移動操作される。
【００１９】
シャッタ部材１０の記録用の開口部８及び記録再生用開口部９をそれぞれ閉塞するシャッタ部材１０ａ，１０ｂを連結する連結片１０ｃの中央部には、ホルダ装置側に設けられている移動規制部材が係合する係合穴１３が設けられている。尚、シャッタ開放部材進入溝１２は、シャッタ部材１０が移動するカートリッジ本体４の一側面に直交する側面を開放端として形成されている。
【００２０】
このように形成されたディスクカートリッジ１は、シャッタ開放部材進入溝１２の開放端が臨まされる側面側を挿入端としてホルダ装置に挿入される。
【００２１】
図３に示すように、ディスク記録再生装置２１はディスクカートリッジ１を保持するとともにディスクカートリッジ１を装置内方に対して挿脱するための挿脱位置とディスクカートリッジ１に対する記録再生を行うためのカートリッジ装着位置とにディスクカートリッジ１を移動するカートリッジホルダ２２と、このカートリッジホルダ２２を移動可能に支持するベースシャーシ２３と光磁気ディスク５に対して情報の記録再生を行うための光ピックアップ部２４と光磁気ディスク５に対して情報の記録を行うための磁気ヘッド部２５と光磁気ディスク５を回転駆動するためのディスク回転駆動機構２６とを備えている。
【００２２】
又、ディスク記録再生装置２１は、図３〜図９に示すように、磁気ヘッド部２５を光磁気ディスク５に対して昇降動作させるヘッド昇降機構２７とディスク記録再生装置２１の外方へディスクカートリッジ１の取出しの可否を切換えるための取出し操作切換え部材２８とを備えている。
【００２３】
カートリッジホルダ２２は、図３に示すように、挿脱されるディスクカートリッジ１の主面に対向する位置に形成された天板２９と、この天板２９に磁気ヘッド挿入用開口部３０を備えている。又、カートリッジホルダ２２には、シャッタ部材１０を開閉操作し、係合穴１３に係合する移動規制部材３１が設けられている。このカートリッジホルダ２２は、ベースシャーシ２３に回動支軸を介して回動可能に支持されている。
【００２４】
ベースシャーシ２３はディスクカートリッジ１の主面の外形より僅かに大きな矩形に形成されており、主面の略中央部に、光磁気ディスク５を回転駆動するディスク回転駆動機構２６が配設されている。
【００２５】
光ピックアップ部２４は、図示しないが、レーザー光を出射する光源と光磁気ディスク５の記録領域にレーザー光を合焦させる対物レンズと、この対物レンズを二軸方向に駆動変位させる二軸アクチュエータと、記録領域からの戻り光を受光する受光部とを有している。この光ピックアップ部２４は、ベースシャーシ２３上に図示しない送り機構を介して光磁気ディスク５の径方向に移動可能に配設されている。
【００２６】
磁気ヘッド部２５は、図３に示すように、光ピックアップ部２４に対向する位置に配置されている。磁気ヘッド部２５は、図３〜図９に示すように、光磁気ディスク５に対して情報を記録する磁気ヘッド３２とこの磁気ヘッド３２を先端部に支持する支持アーム３３と支持アーム３３を変位可能に保持する支持板３４と、磁気ヘッド３２を上昇時保持する磁気ヘッド保持板３５とを有している。磁気ヘッド保持板３５は、支持アーム３３に結合されており、支持アーム３３と同様に支持板３４に対して可動である。支持板３４の基端部は、磁気ヘッド部２５と光ピックアップ部２４を連結する連結部材３６に結合されており、図５中矢印ａ１
及びａ２　方向に揺動可能である。
【００２７】
そして、これらの光ピックアップ部２４及び磁気ヘッド部２５は、連結部材３６を介してベースシャーシ２３上を光磁気ディスク５の径方向に一体的に移動する。
【００２８】
ディスク回転駆動機構２６は、図３に示すように、ディスクカートリッジ１の光磁気ディスク５が載置されるディスクテーブル３７とこのディスクテーブルを回転駆動するスピンドルモータ３８とを有している。スピンドルモータ３８は、ベースシャーシ２３の主面に突出されて配設されている。
【００２９】
ヘッド昇降機構２７は、図３及び図４に示すように、カートリッジホルダ２２の天板２９上面にディスクカートリッジ１内の光磁気ディスク５に対して磁気ヘッド部２５の磁気ヘッド３２を近接離間する方向に昇降動作させるために図５中矢印ａ１
方向及びａ２　方向に回動される昇降操作板３９と昇降操作板３９を回動動作させるために図３及び図４中矢印ｂ１　方向及びｂ２　方向に回動操作される回動操作レバー４０とを有している。
【００３０】
昇降操作板３９は略平板状に形成されており、両側に、支持片４１がそれぞれ一体に形成されており、これらの支持片４１の先端部にカートリッジホルダ２２に図４中矢印ａ１
方向及びａ２　方向に回動可能に支持される回動支軸４２がそれぞれ一体に突出形成されている。
【００３１】
昇降操作板３９には、図３に示すように、一端側の支持アーム３３に対向する位置に、磁気ヘッド部２５の支持アーム３３に当接する当接部４３が一体に形成されている。昇降操作板３９には回動操作レバー４０によって回動操作されるための作動片４４と、移動規制部材３１より延伸した昇降操作板付勢部４５と当接する当接部４６が一体に形成されている。
【００３２】
回動操作レバー４０は、カートリッジホルダ２２上に図３中矢印ｂ１
方向及びｂ２　方向に軸を中心に回動可能に支持され、昇降操作板３９を回動操作するための操作部４７と昇降制御機構４８に連結される連結部とを有している。操作部４７は、図３に示すように、回動中心から昇降操作板３９の近傍位置まで延設されており、先端部に回動方向と略直角方向に突出された操作片４９と昇降操作板３９との係合部５０が一体に形成されている。この操作片４９は昇降操作板３９の作動片４４に当接する。連結部５１は、図５に示すように、カートリッジホルダ２２の天板２９の主面に直交して形成されており、先端部が昇降制御機構４８に連結されている。
【００３３】
昇降制御機構４８は、図３に示すように、ベースシャーシ２３の下面側に配設され、磁気ヘッド３２の昇降を制御する昇降制御レバー５２とディスクカートリッジ１の取出し可否を切換える取出し操作切換え部材２８と昇降制御レバー５２の位置を検出する検出手段５３と昇降制御レバー５２を移動操作する駆動手段５９を有している。
【００３４】
昇降制御レバー５２は、主面上にガイドスリット５３，５３がそれぞれ形成されており、これらのガイドスリット５３，５３内にベースシャーシ２３に立設されたガイド軸５４，５４がそれぞれ移動可能に挿通されている。ベースシャーシ２３には昇降制御レバー５２の移動を検出する検出部５５を有している。又、昇降制御レバー５２には、回動操作レバー４０を駆動する駆動部５６と、検出部５５と当接する階段状のカム部５７と、取出し操作切換え部材２８を駆動する駆動軸５８と、駆動手段５９と係合するラック部６０が設けられている。
【００３５】
取出し操作切換え部材２８はベースシャーシ２３に立設された回動軸６１を中心に図３及び図４中ｄ１
方向及びｄ２　方向に回動可能で中央付近に設けられたガイドカム６２が昇降制御レバー５２の駆動軸５８と係合して動作される。
【００３６】
回動操作レバー駆動部５６は、角穴形状でベースシャーシ２３の外方に臨み、回動操作レバー４０の連結部５１の先端が挿入されている。ラック部６０は、駆動手段５９に設けられたギア６３と噛合い、昇降制御レバー５２は図中矢印ｃ１方向及びｃ２　方向に駆動される。
【００３７】
昇降制御レバー駆動手段５９は、駆動源であるモータ６４と減速機構であるギア６３を有しており、ギアは昇降制御レバー５２のラック部６０と噛合っている。
【００３８】
ベースシャーシ２３のカートリッジ挿脱側外方にはカートリッジ取出し操作部６５が設けられ、図３及び図４のｅ１
方向及びｅ２　方向に移動可能である。取出し操作部６５には取り出し切換えレバー２８が侵入する開口部６６が設けられている。
【００３９】
以上のように構成された磁気ヘッド昇降制御装置について、磁気ヘッド部２５の磁気ヘッド３２が光磁気ディスク５に対して昇降される動作を図面を参照して説明する。
【００４０】
先ず、昇降制御機構は、図５に示すように、初期状態で回動操作レバー４０の操作片４９が昇降操作板３９の作動片４４に当接されており、昇降操作板３９が図５の矢印ａ２
方向に回動されている。そうすることにより、昇降操作板３９の当接部４３が磁気ヘッド部２５の支持アーム３３を介して磁気ヘッド３２が光磁気ディスク５に対して離間した退避位置に移動されている。このとき、移動規制部材３１の昇降操作板付勢部４５と昇降操作板３９の当接部４６が当接し、昇降操作板３９のａ２
方向への回動が付勢されている。
【００４１】
昇降制御レバー５２は図４中ｃ１　方向に片寄せされており、昇降制御レバー５２上の駆動軸５８に連動して、取出し操作切換え部材２８はｄ１
方向に片寄せされ、取出し操作部６５は開口部６６に取出し操作切換え部材２８が挿入されておらず、カートリッジ取出し操作が可能な状態にある。この状態でカートリッジホルダ２２をａ２
方向に回動させれば、磁気ヘッド３２が光磁気ディスク５から離間した状態でのカートリッジ取出し操作が可能である。
【００４２】
次に、図７〜図９を参照して説明する。
【００４３】
磁気ヘッド昇降制御機構は、ディスク記録再生装置２１の操作によりモータ６４が駆動され、ギア６３を通して駆動力が伝達され昇降制御レバー５２が図５中矢印ｃ２
方向に駆動される。ベースシャーシ２３上の検出部５５と昇降制御レバー５２のカム部５７が当接し、その検出信号によりモータ６４の回転が停止し、昇降制御レバー５２も停止する。昇降制御レバー５２の移動中には、回動操作レバー駆動部５６と連結された回動操作レバー連結部５１が駆動され、回動操作レバー４０は図７中矢印ｂ２
方向に回動される。
【００４４】
回動操作レバー４０の操作部４７先端に設けられた操作片４９の傾斜に従って昇降操作板３９の作動片４４が駆動され、昇降操作板３９は図８中矢印ａ１
方向に回動する。昇降操作板３９の当接部４３が磁気ヘッド部２５の支持アーム３３を介して磁気ヘッド３２が光磁気ディスク５と近接した記録位置に移動される。このため、磁気ヘッド部２５は、磁気ヘッド３２が光磁気ディスク５の記録領域に臨まされて、情報の記録が可能とされる。昇降操作板３９の作動片４４は回動操作レバー４０の係合部５０に下側に進入し、昇降操作板３９のａ２
方向の回動を規制している。
【００４５】
取出し操作切換え部材２８は、昇降制御レバー５２の駆動軸５８とガイドカム６２の係合により図５中矢印ｄ２
方向に回動され、取出し操作部６５の開口部６６に取出し操作切換え部材２８が進入し。取出し操作が不可能となる。即ち、磁気ヘッド３２が光磁気ディスク５に近接した記録状態にあるときはカートリッジの取出し操作を禁止している。
【００４６】
昇降制御レバー５２は図中ｃ２　方向に長さＬ１　移動する間に、取出し操作切換え部材２８は図中ｄ２　方向に回動する。昇降制御レバー５２の動作方向の長さＬ１　に比べ、取出し操作切換え部材２８の同一方向の移動長さＬ２　は短くなるようにガイドカム６２は設計されており、ディスク記録再生装置２１の外方に取出し操作部６５の動作を禁止する取出し操作切換え部材２８が大きく突出することがない。
【００４７】
又、取出し操作切換え部材２８を昇降制御レバー５２と別体で設けているため、回動操作レバー４０の回動角が大きく取れ、操作片４９の磁気ヘッド部２５を近接位置から離間位置へ上昇させるカムの傾斜角度を小さくすることができる。
【００４８】
上述したように、この磁気ヘッド昇降制御装置によれば、昇降制御レバー５２の移動長さを取出し操作切換え部材２８移動長さと異なって長く取ることができるためにヘッド昇降用のカムの傾斜を小さくすることで駆動負荷が低減でき、駆動モータの小型化或は減速機構の廃止により、ディスク記録再生装置を小型化することが可能になる。
【００４９】
＜実施の形態２＞
次に、本発明の実施の形態２について図１０〜図１３を参照して説明する。
【００５０】
本実施の形態では実施の形態１でベースシャーシ２３に回動可能に設けられた取出し操作切換え部材が昇降制御レバー上に搭載された構成である。尚、ここでは実施の形態１と同一の機能を有する部材には同一符号を付して重複する説明を省略する。
【００５１】
本実施の形態では、図１０に示すように、昇降制御レバー７１上に取出し操作切換え部材７２が昇降制御レバー７１に対して図中矢印ｃ１
方向及びｃ２　方向に移動可能に配設されており、昇降制御レバー７１の開口部７３と取出し操作切換え部材７２の開口部７４内に設けられた圧縮バネ７５により、取出し操作切換え部材の第１ストッパ部７６は昇降制御レバー７１の当接部７７と当接し、図中矢印ｃ２
方向に常に付勢されている。
【００５２】
又、ベースシャーシ２３には昇降制御レバーの位置検出を行う検出部７８ａ，７８ｂが設けられている。
【００５３】
図１０は本実施の形態における磁気ヘッド部２５が光磁気ディスク５から離間した状態を示し、検出部７８ａ，７８ｂは昇降制御レバー７１のカム部７９とはどちらも当接していない状態である。
【００５４】
図１１は図１０の状態から昇降制御レバー７１がｃ２
方向に全移動長さＬ１　の略半分程度移動した状態である。図１２に示すように、回動操作レバー４０の操作片４９と昇降操作板３９の作動片４４は、操作片４９のカムの高い位置で当接しており、磁気ヘッド部２５は、光磁気ディスク５から離間したままである。昇降制御レバー７１上の取出し操作切換え部材７２は、昇降制御レバー７１と同じだけ移動し、先端部８０がベースシャーシ２３の切欠き部８１及び取出し操作部の開口部６６に進入している。
【００５５】
又、第２ストッパ部８２は、ベースシャーシ２３の切欠き部８１の側壁８３に当接している。圧縮バネ７５は、図１０と同じ状態で昇降制御レバー７１と取出し操作切換え部材７２の位置関係は変わっていない。検出部７８ａは、カム部７９ａとの当接を検出して、駆動を停止することが可能である。この状態では、磁気ヘッド部２５が光磁気ディスク５から離間位置にあってもディスクカートリッジ１の取出しは禁止されている。
【００５６】
図１３は図１１から更にｃ２　方向に昇降制御レバー７１が移動した状態を示している。回動操作レバー４０はｂ２
方向に回動し、昇降操作板３９の作動片４４は、操作片４９から離れ、磁気ヘッド部２５は、光磁気ディスク５に近接した位置に下降する。昇降制御レバー７１のカム部７９ｂは、検出部７８ｂに当接し、検出部７８ａ，７８ｂ共にＯＮになり、駆動手段が停止する。圧縮バネ７５は、昇降制御レバー側がｃ２
方向に押され圧縮され、昇降制御レバー７１と取出し操作切換え部材７２との相対位置が変化する。実施の形態１と同様に昇降制御レバーの移動長さＬ１
に比べ、取出し操作切換え部材の同一方向の移動長さＬ３　を短くすることが可能になる。
【００５７】
従って、磁気ヘッド部２５が光磁気ディスク５から離間した状態で、ディスク記録再生装置としてディスクカートリッジ１の取出し可否を選択することが可能になる。
【００５８】
更に、実施の形態１においては、磁気ヘッド部２５の上昇位置と下降位置との間に停止位置を設けず操作片のカムの傾斜を連続にしたが、本実施の形態のように中間に、例えば、光磁気ディスクから僅かに離間した位置に昇降制御レバーが停止できるように検出部を設けることが可能である。こうすることにより磁気ヘッド部が全て上昇した位置ではなく、下降すればすぐに再生動作が可能になるので、操作性の良好なディスク記録再生装置を実現することが可能になる。
【００５９】
【発明の効果】
以上の説明で明らかなように、本発明に係る磁気ヘッド昇降制御装置によれば、磁気ヘッドの昇降制御レバーの移動長さと、ディスクカートリッジ取出し操作切換え部材の移動長さを異ならすことができるため、駆動力の低減により、ディスク記録再生装置の小型化、省電力化、部品点数削減による製造コストの低減が可能になる。
【００６０】
又、この磁気ヘッド昇降制御装置によれば、ディスクカートリッジ取出しの可否を磁気ヘッド部の上昇位置、下降位置の２箇所の他に増やすことができるので、ディスク記録再生装置の操作性の向上や高機能化を図ることができる。
【図面の簡単な説明】
【図１】本発明に係るディスク記録再生装置に用いられるディスクカートリッジを示す斜視図である。
【図２】ディスクカートリッジの下面側を示す斜視図である。
【図３】本発明に係るディスク記録再生装置を示す平面図である。
【図４】本発明に係る磁気ヘッド昇降制御装置の実施の形態１で磁気ヘッド昇降制御機構が磁気ヘッドを光磁気ディスクから離間した上昇位置を示す平面図である。
【図５】図４の一方の側を示す側面図である。
【図６】図４の他方の側を示す側面図である。
【図７】本発明に係る磁気ヘッド昇降制御装置の実施の形態１で磁気ヘッド昇降制御機構が磁気ヘッドを光磁気ディスクに近接した下降位置を示す平面図である。
【図８】図７の一方の側を示す側面図である。
【図９】図７の他方の側を示す側面図である。
【図１０】本発明に係る磁気ヘッド昇降制御装置の実施の形態２で磁気ヘッド昇降制御機構が磁気ヘッドを光磁気ディスクから離間した上昇位置を示す平面図である。
【図１１】本発明に係る磁気ヘッド昇降制御装置の実施の形態２で磁気ヘッド昇降制御機構が昇降制御レバーを中間位置に移動した状態示す平面図である。
【図１２】図１１の一方の側を示す側面図である。
【図１３】本発明に係る磁気ヘッド昇降制御装置の実施の形態２で磁気ヘッド昇降制御機構が磁気ヘッドを光磁気ディスクに近接した下降位置を示す平面図である。
【符号の説明】
１　　　ディスクカートリッジ
２　　　上ハーフ
３　　　下ハーフ
４　　　カートリッジ本体
５　　　光磁気ディスク
６　　　ディスクハブ
７　　　中央開口部
８　　　記録用開口部
９　　　記録再生用開口部
１０　　　シャッタ部材
１１　　　シャッタロック部材
１２　　　シャッタ開放部材侵入溝
１３　　　係合穴
２１　　　ディスク記録再生装置
２２　　　カートリッジホルダ
２３　　　ベースシャーシ
２４　　　光ピックアップ部
２５　　　磁気ヘッド部
２６　　　ディスク回転駆動機構
２７　　　ヘッド昇降機構
２８　　　取出し操作切換え部材
２９　　　天板
３０　　　磁気ヘッド挿入用開口部
３１　　　移動規制部材
３２　　　磁気ヘッド
３３　　　支持アーム
３４　　　支持板
３５　　　磁気ヘッド保持板
３６　　　連結部材
３７　　　ディスクテーブル
３８　　　スピンドルモータ
３９　　　昇降操作板
４０　　　回動操作レバー
４１　　　昇降操作板支持片
４２　　　昇降操作板回動支軸
４３　　　昇降操作板の支持アーム当接部
４４　　　昇降操作板作動片
４５　　　移動規制部材３１の昇降操作板付勢部
４６　　　（昇降操作板付勢部との）　当接部
４７　　　（回動操作レバーの昇降操作板）　操作部
４８　　　昇降制御機構
４９　　　（回動操作レバーの昇降操作板）　操作片
５０　　　回動操作レバーの係合部
５１　　　（回動操作レバーの昇降制御機構との）
連結部
５２　　　昇降制御レバー
５３，５３　ガイドスリット
５４，５４　（昇降制御レバー）　ガイド軸
５５　　　（昇降制御レバー）　検出部
５６　　　回動操作レバー駆動部
５７　　　（検出部と当接する）　カム部
５８　　　（取出し操作切換え部材）　駆動軸
５９　　　昇降制御レバー駆動手段
６０　　　ラック部
６１　　　（取出し操作切換え部材）　回転軸
６２　　　ガイドカム
６３　　　ギア
６４　　　駆動モータ
６５　　　カートリッジ取出し操作部
６６　　　取出し操作部の開口部
７１　　　昇降制御レバー
７２　　　取出し操作切換え部材
７３　　　昇降制御レバー開口部
７４　　　取出し操作切換え部材開口部
７５　　　圧縮バネ
７６　　　取出し操作切換え部材第１ストッパ部
７７　　　昇降制御レバー当接部
７８ａ，７８ｂ　検出部
７９ａ，７９ｂ　カム部
８０　　　取出し操作切換え部材先端部
８１　　　ベースシャーシ切欠き部
８２　　　取出し操作切換え部材第２ストッパ部
８３　　　切欠き部側壁
【図１】
2004103194.tif 000003
【図２】
2004103194.tif 000004
【図３】
2004103194.tif 000005
【図４】
2004103194.tif 000006
【図５】
2004103194.tif 000007
【図６】
2004103194.tif 000008
【図７】
2004103194.tif 000009
【図８】
2004103194.tif 000010
【図９】
2004103194.tif 000011
【図１０】
2004103194.tif 000012
【図１１】
2004103194.tif 000013
【図１２】
2004103194.tif 000014
【図１３】
2004103194.tif 000015